(57)【要約】【課題】  例えばレーザドライバ等の集積回路における構成を簡略化しつつ、当該集積回路において高速処理を実現することを可能ならしめる。【解決手段】  レーザ出力制御装置（１００）は、記録情報が所定変調方式（ＮＲＺＩ）に基づいて変調された記録信号に、駆動手段（１０８）を制御する制御信号を重畳した重畳信号を入力させる入力手段（１０３等）と、入力された重畳信号から、制御信号（「１２Ｔ」のスペース）を検出する検出手段（１０４）と、検出された制御信号に基づいて、駆動手段を制御する制御手段（１０）とを備える。【選択図】  図１
2006228345.tif 000002
【特許請求の範囲】
【請求項１】
情報記録媒体に記録する記録情報に基づいて、光源を駆動してレーザ光を出射させる駆動手段を備えたレーザ出力制御装置であって、
前記記録情報が所定変調方式に基づいて変調された記録信号に、前記駆動手段を制御する制御信号を重畳した重畳信号を入力させる入力手段と、
前記入力された重畳信号から、前記制御信号を検出する検出手段と、
前記検出された制御信号に基づいて、前記駆動手段を制御する制御手段と
を備えたことを特徴とするレーザ出力制御装置。
【請求項２】
前記駆動手段は、前記記録信号に基づいて、前記光源から照射される前記レーザ光の条件を特定する特定手段を含み、
前記入力手段は、前記記録信号を生成する生成手段と、前記生成された記録信号に、前記制御信号を重畳する重畳手段とを含み、
前記制御手段は、前記検出された制御信号に基づいて、前記条件を特定するように前記特定手段を制御することを特徴とする請求項１に記載のレーザ出力制御装置。
【請求項３】
前記特定手段は、前記条件として、（ｉ）記録処理を行う設定、及び（ｉｉ）前記レーザ光の最適記録パワーを検出する較正処理を行う設定のうち一方となるように特定することを特徴とする請求項２に記載のレーザ出力制御装置。
【請求項４】
前記特定手段は、前記条件として、前記レーザ光の最適記録パワーを検出する較正処理において、記録パワーの値を特定することを特徴とする請求項２に記載のレーザ出力制御装置。
【請求項５】
前記特定手段は、前記記録信号に対応した、所定の記録波形データを保持する駆動パルス信号を生成する駆動パルス生成手段を含み、
前記駆動パルス生成手段は、前記条件として、前記駆動パルス信号の形状が、ノンマルチパルス形状、及びマルチパルス形状のうち一方となるように特定することを特徴とする請求項２に記載のレーザ出力制御装置。
【請求項６】
前記特定手段は、前記条件として、前記レーザ光の出力パワーを、（ｉ）記録処理のための記録パワー、及び（ｉｉ）再生処理のための再生パワーのうち一方を特定することを特徴とする請求項２に記載のレーザ出力制御装置。
【請求項７】
前記記録信号は、所定規則に基づく、一のシンボル、又は他のシンボルの組み合わせによって構成され、
前記制御信号は、前記所定規則に基づかない、前記一、又は他のシンボルの組み合わせによって構成されることを特徴とする請求項１から６のうちいずれか一項に記載のレーザ出力制御装置。
【請求項８】
前記記録信号は、（ｉ）所定規則に基づく、一のシンボル、又は他のシンボルの組み合わせによって構成されると共に、（ｉｉ）前記所定規則に基づいて、前記一、又は他のシンボルが連続する長さが所定範囲内に収まる組み合わせによって構成され、
前記制御信号は、前記一、又は他のシンボルが含まれると共に、連続する長さが、前記所定範囲の最大値より大きくなる組み合わせによって構成されることを特徴とする請求項１から７のうちいずれか一項に記載のレーザ出力制御装置。
【請求項９】
前記記録信号は、（ｉ）所定規則に基づく、一のシンボル、又は他のシンボルの組み合わせによって構成されると共に、（ｉｉ）前記所定規則に基づいて、前記一、又は他のシンボルが連続する長さが所定範囲内に収まる組み合わせによって構成され、
前記制御信号は、前記一、又は他のシンボルが含まれると共に、連続する長さが、前記所定範囲の最小値より小さくなる組み合わせによって構成されることを特徴とする請求項１から８のうちいずれか一項に記載のレーザ出力制御装置。
【請求項１０】
前記記録信号は、（ｉ）所定規則に基づく、一のシンボル、又は他のシンボルの組み合わせによって構成されると共に、（ｉｉ）当該記録信号に対する誤り訂正、又は復調を行うためのデータ量の単位であるデ−タブロックの区切りを示す同期信号を含み、
前記制御信号は、前記一、又は他のシンボルが含まれると共に、前記同期信号の一部を示す組み合わせと、前記最小値より小さくなる組み合わせとによって構成されることを特徴とする請求項１から９のうちいずれか一項に記載のレーザ出力制御装置。
【請求項１１】
前記記録信号は、所定規則に基づく、一のシンボル、又は他のシンボルの組み合わせによって構成され、
前記制御信号は、前記所定規則に基づく、前記一、又は他のシンボルの組み合わせによって構成されることを特徴とする請求項１から９のうちいずれか一項に記載のレーザ出力制御装置。
【請求項１２】
情報記録媒体に記録する記録情報に基づいて、光源を駆動する駆動手段を備えたレーザ出力制御装置におけるレーザ出力制御方法であって、
前記記録情報が所定変調方式に基づいて変調された記録信号に、前記駆動手段を制御する制御信号を重畳した重畳信号を入力させる入力工程と、
前記入力された重畳信号から、前記制御信号を検出する検出工程と、
前記検出された制御信号に基づいて、前記駆動手段を制御する制御工程と
を備えたことを特徴とするレーザ出力制御方法。
【請求項１３】
請求項１に記載のレーザ出力制御装置に備えられたコンピュータを制御するレーザ出力制御用のコンピュータプログラムであって、該コンピュータを、前記入力手段、前記検出手段、及び前記制御手段のうち少なくとも一部として機能させることを特徴とするコンピュータプログラム。
【発明の詳細な説明】
【技術分野】
【０００１】
本発明は、例えばライトストラテジー内蔵型レーザドライバ等のレーザ出力制御装置及び方法、並びに、レーザ出力制御装置において実行されるコンピュータプログラムの技術分野に関する。
【背景技術】
【０００２】
情報の追記、書き換えなどが可能な記録型光ディスクへの情報の記録は、レーザ光源を記録すべき情報（以下、適宜「記録情報」と称す）に対応したパルス信号により駆動して記録レーザ光を生成し、これを光ディスクの情報記録面に照射することにより行われる。レーザ光源としては、例えばレーザダイオードなどの半導体レーザが使用される。レーザドライバ等の集積回路（ＩＣ：Integrated Circuit）によりレーザダイオードに通電する電流量を制御することによって、記録レーザ光のパワーが制御される。レーザドライバは、通電量が予め設定された複数の電流源を、記録情報に対応する駆動パルス信号により切り換えてレーザダイオードを駆動する。駆動パルス信号によりレーザダイオードからのレーザ出射パワーが制御され、記録情報に対応する記録ピット（記録マーク）が、例えば光ディスク等の情報記録媒体上に形成される。
【０００３】
特に、微細なパルス幅の制御、及び高速処理を実現するために、ライトストラテジー回路をメイン基板上のＤＳＰ（Digital Signal Processor）からレーザドライバに移動させたライトストラテジー内蔵型レーザドライバが考案されている。
【０００４】
更に、例えばＣＤ（Compact Disc）、ＤＶＤ、又はBlu-ray Disc等の高密度記録媒体における記録又は再生を実現するために、３つのレーザ波長に対応する機能を保持するレーザドライバも提案されている。
【発明の開示】
【発明が解決しようとする課題】
【０００５】
しかしながら、従来のレーザドライバ等の集積回路においては、所定の機能を付加させるためには、信号線の数を増やさなければならなかった。具体的には、レーザ光の最適記録パワーを検出する較正処理、即ち、ＯＰＣ（Optimum Power Control）処理においては、所定のステップにおいて、記録パワーの値が変更され、光ディスク上に試し書きが行われる。この記録パワーの値を変更するための指令（コマンド）を伝送するために、ＯＰＣ専用の信号線をレーザドライバ等の集積回路に構成する必要がある。このＯＰＣ専用の信号線を簡便に構成するために、集積回路では構造上、外部と通信する専用ピンが必要となる。この専用ピンを設けることは、ピンの数を増加させ、集積回路の小型化を実現することが困難となってしまうという技術的な問題点がある。
【０００６】
仮に、この専用ピンを介して、ＣＰＵからレーザドライバへ、例えばＯＰＣ処理における記録パワーを変更する処理を制御する指令（コマンド）が送信された場合、記録情報の書き込みのタイミングと、この指令によって開始されるタイミングとを同期させる必要があるが、技術的に困難な高精度の同期処理を必要とする。また、レーザ光の出力パワーを、記録処理のための記録パワー、又は再生処理のための再生パワーへの切替えるタイミングについても同様に、同期させることが技術的に困難である。
【０００７】
或いは、ＣＰＵからレーザドライバへ通信線を介して送信される指令（コマンド）に基づいて、記録パワーの値を設定する方法も考案されている。
【０００８】
しかしながら、ＣＰＵとレーザドライバとの間では、一般的に、シリアル通信規格に基づいた通信が行われるが、当該通信方式は高速な信号伝送には適していない。この結果、ＯＰＣ処理における記録パワーの変更を短時間で、即ち、高速に行うことが困難となってしまうという技術的な問題点がある。
【０００９】
本発明は、例えば上述した従来の問題点に鑑みなされたものであり、例えばレーザドライバ等の集積回路における構成を簡略化しつつ、当該集積回路において高速処理を実現することが可能なレーザ出力制御装置及び方法、並びにコンピュータをこのようなレーザ出力制御装置として機能させるコンピュータプログラムを提供することを課題とする。
【課題を解決するための手段】
【００１０】
上記課題を解決するために、請求項１に記載のレーザ出力制御装置は、情報記録媒体に記録する記録情報に基づいて、光源（レーザダイオード）を駆動してレーザ光を出射させる駆動手段（レーザドライバ）を備えたレーザ出力制御装置であって、前記記録情報が所定変調方式（ＮＲＺＩ：Non Return to Zero Inverted）に基づいて変調された記録信号に、前記駆動手段を制御する制御信号を重畳した重畳信号を入力させる入力手段と、前記入力された重畳信号から、前記制御信号（制御コマンド）を検出する検出手段（コマンド検出部）と、前記検出された制御信号に基づいて、前記駆動手段を制御する制御手段（ＣＰＵ）とを備える。
【００１１】
上記課題を解決するために、請求項１２に記載のレーザ出力制御方法は、情報記録媒体に記録する記録情報に基づいて、光源（レーザダイオード）を駆動する駆動手段（レーザドライバ）を備えたレーザ出力制御装置におけるレーザ出力制御方法であって、前記記録情報が所定変調方式（ＮＲＺＩ：Non Return to Zero Inverted）に基づいて変調された記録信号に、前記駆動手段を制御する制御信号を重畳した重畳信号を入力させる入力工程と、前記入力された重畳信号から、前記制御信号（制御コマンド）を検出する検出工程（コマンド検出工程）と、前記検出された制御信号に基づいて、前記駆動手段を制御する制御工程とを備える。
【００１２】
上記課題を解決するために、請求項１３に記載のコンピュータプログラムは、請求項１に記載のレーザ出力制御装置に備えられたコンピュータを制御するレーザ出力制御用のコンピュータプログラムであって、該コンピュータを、前記入力手段、前記検出手段、及び前記制御手段のうち少なくとも一部として機能させる。
【００１３】
本発明の作用及び他の利得は次に説明する実施の形態から明らかにされよう。
【発明を実施するための最良の形態】
【００１４】
以下、発明を実施するための最良の形態としての本発明の実施形態に係るレーザ出力制御装置及び方法、並びに、コンピュータプログラムについて順に説明する。
【００１５】
（レーザ出力制御装置の実施形態）
本発明のレーザ出力制御装置に係る実施形態は、情報記録媒体に記録する記録情報に基づいて、光源（レーザダイオード）を駆動してレーザ光を出射させる駆動手段（レーザドライバ）を備えたレーザ出力制御装置であって、前記記録情報が所定変調方式（ＮＲＺＩ：Non Return to Zero Inverted）に基づいて変調された記録信号に、前記駆動手段を制御する制御信号を重畳した重畳信号を入力させる入力手段と、前記入力された重畳信号から、前記制御信号（制御コマンド）を検出する検出手段（コマンド検出部）と、前記検出された制御信号に基づいて、前記駆動手段を制御する制御手段（ＣＰＵ）とを備える。
【００１６】
本発明のレーザ出力制御装置に係る実施形態によれば、先ず、例えばメイン基板のＤＳＰ（Digital Signal Processor）等の生成手段を含む入力手段によって、例えばＮＲＺＩ等の所定変調方式に基づいて変調された記録情報を保持する記録信号が生成される。
【００１７】
次に、例えば重畳手段を含む入力手段によって、この記録信号に制御信号が重畳される。ここに、本願発明に係る「制御信号」とは、例えばＯＰＣ処理における記録パワーの値等のレーザ光の条件を切替える指令（コマンド）等によって構成される各種手段を制御するための信号である。即ち、「制御」とは、例えば記録用のレーザ光の条件を切替えるライトドライバの制御等を含むレーザ出力制御装置全体を統括制御することを意味するようにしてもよい。より具体的には、制御として、レーザ光のストラテジにおける変更制御、ＰＬＬ（Phase Locked Loop）の分周における変更制御、リードパワーの変更制御、ライトパワーの変更制御等を例として挙げることができる。
【００１８】
次に、この制御信号が、検出手段によって検出される。このことによって、駆動手段は、制御手段の制御下で、検出された制御信号に基づいて、例えばＯＰＣ処理において、記録パワーの値を切替える等のレーザ光の条件を特定することが可能となる。従って、レーザ光の条件を特定するための信号線を物理的な構造上構成する必要がなくなる。
【００１９】
この結果、本発明のレーザ出力制御装置における構成を簡略化、即ち、当該集積回路の小型化を実現することが可能となる。
【００２０】
更に、本実施形態によれば、記録信号に、制御信号を重畳させるので、記録情報の書き込みのタイミングと、制御信号に基づく指令によって開始するタイミングとを殆ど又は完全に同期させることが可能である。
【００２１】
この結果、本発明のレーザ出力制御装置において、高速処理を実現することが可能となる。
【００２２】
本発明のレーザ出力制御装置に係る実施形態の一の態様は、前記駆動手段（レーザドライバ）は、前記記録信号に基づいて、前記光源（レーザダイオード）から照射される前記レーザ光の条件を特定する特定手段（ストラテジ生成部）を含み、前記入力手段は、前記記録信号を生成する生成手段（メイン基板のＤＳＰ（Digital Signal Processor））と、前記生成された記録信号に、前記制御信号を重畳する重畳手段（重畳部）とを含み、前記制御手段は、前記検出された制御信号に基づいて、前記条件を特定するように前記特定手段を制御する。
【００２３】
この態様によれば、重畳手段によって、制御信号が生成手段によって生成された記録信号に重畳される。そして、制御手段の制御下で、特定手段によって、例えばＯＰＣ処理における記録パワーの値を切替え等のレーザ光の条件が特定されることが可能となる。
【００２４】
この特定手段に係る態様では、前記特定手段は、前記条件として、（ｉ）記録処理を行う設定、及び（ｉｉ）前記レーザ光の最適記録パワーを検出する較正処理を行う設定のうち一方となるように特定するように構成してもよい。
【００２５】
このように構成すれば、より迅速且つ適切に、較正処理へ切替えることが可能となる。
【００２６】
この特定手段に係る態様では、前記特定手段は、前記条件として、前記レーザ光の最適記録パワーを検出する較正処理において、記録パワーの値を特定するように構成してもよい。
【００２７】
このように構成すれば、較正処理において、より迅速且つ適切に、記録パワーの値を切替えることが可能となる。
【００２８】
この特定手段に係る態様では、前記特定手段は、前記記録信号に対応した、所定の記録波形データ（ストラテジ）を保持する駆動パルス信号（アナログ信号）を生成する駆動パルス生成手段（ストラテジ生成部）を含み、前記駆動パルス生成手段（ストラテジ生成部）は、前記条件として、前記駆動パルス信号の形状が、ノンマルチパルス形状、及びマルチパルス形状のうち一方となるように特定するように構成してもよい。
【００２９】
このように構成すれば、例えばＡＰＣ（Automatic Power Control）処理において、マルチパルス形状の駆動パルス信号に、より迅速且つ適切に切替えることが可能となる。
【００３０】
本発明のレーザ出力制御装置に係る実施形態の他の態様は、前記特定手段は、前記条件として、前記レーザ光の出力パワーを、（ｉ）記録処理のための記録パワー、及び（ｉｉ）再生処理のための再生パワーのうち一方を特定する。
【００３１】
この態様によれば、記録又は再生処理において、より迅速且つ適切に、記録パワーの値と、再生パワーの値とを切替えることが可能となる。
【００３２】
本発明のレーザ出力制御装置に係る実施形態の他の態様は、前記記録信号は、所定規則（RLL：Run Length Limited Code：所定範囲内「２Ｔから９Ｔ」に収まる）に基づく、一のシンボル（「１」）、又は他のシンボル（「０」）の組み合わせによって構成され、前記制御信号は、前記所定規則に基づかない、前記一、又は他のシンボルの組み合わせによって構成される。
【００３３】
この態様によれば、所定規則に基づく記録信号と、所定規則に基づかない制御信号とをより迅速且つ適切に識別することが可能となる。ここに、本願発明に係る「所定規則」とは、例えばＲＬＬ（Run Length Limited Code）等に基づく規則である。より具体的には、この規則とは、記録信号を構成する一又は他のシンボルが連続する長さを、例えば「２Ｔから９Ｔ」等の所定範囲内に収める規則であるようにしてもよい。尚「Ｔ」は基準クロックを意味する。
【００３４】
この結果、高速処理を、確実に実現することが可能となる。
【００３５】
本発明のレーザ出力制御装置に係る実施形態の他の態様は、前記記録信号は、（ｉ）所定規則（所定範囲内「２Ｔから９Ｔ」に収まる）に基づく、一のシンボル（「１」）、又は他のシンボル（「０」）の組み合わせによって構成されると共に、（ｉｉ）前記所定規則に基づいて、前記一、又は他のシンボルが連続する長さが所定範囲内に収まる組み合わせ（1111111000）によって構成され、前記制御信号は、前記一、又は他のシンボルが含まれると共に、連続する長さが、前記所定範囲の最大値（９Ｔ）より大きくなる組み合わせ（1111111111）によって構成される。
【００３６】
この態様によれば、所定規則に基づく記録信号と、所定規則に基づかない制御信号とをより迅速且つ適切に識別することが可能となる。
【００３７】
この結果、高速処理を、確実に実現することが可能となる。
【００３８】
本発明のレーザ出力制御装置に係る実施形態の他の態様は、前記記録信号は、（ｉ）所定規則（所定範囲内「２Ｔから９Ｔ」に収まる）に基づく、一のシンボル（「１」）、又は他のシンボル（「０」）の組み合わせによって構成されると共に、（ｉｉ）前記所定規則に基づいて、前記一、又は他のシンボルが連続する長さが所定範囲内に収まる組み合わせ（1111111000）によって構成され、前記制御信号は、前記一、又は他のシンボルが含まれると共に、連続する長さが、前記所定範囲の最小値（例えば２Ｔ）より小さくなる組み合わせ（0100000000）によって構成される。
【００３９】
この態様によれば、所定規則に基づかない制御信号の検出時間をより短縮化させることが可能となる。
【００４０】
この結果、高速処理を、より確実に実現することが可能となる。
【００４１】
本発明のレーザ出力制御装置に係る実施形態の他の態様は、前記記録信号は、（ｉ）所定規則（所定範囲内「２Ｔから８Ｔ」に収まる）に基づく、一のシンボル（「１」）、又は他のシンボル（「０」）の組み合わせによって構成されると共に、（ｉｉ）当該記録信号に対する誤り訂正、又は復調を行うためのデータ量の単位であるデ−タブロックの区切りを示す同期信号（９Ｔ−９Ｔ：Ｓｙｎｃパターン）を含み、前記制御信号は、前記一、又は他のシンボルが含まれると共に、前記同期信号の一部を示す組み合わせ（９Ｔ）と、前記最小値（１Ｔや２Ｔ）より小さくなる組み合わせ（0100000000）とによって構成される。
【００４２】
この態様によれば、より効率的に多くすることが可能となる。
【００４３】
本発明のレーザ出力制御装置に係る実施形態の他の態様は、前記記録信号は、所定規則（所定範囲内「２Ｔから９Ｔ」に収まる）に基づく、一のシンボル（「１」）、又は他のシンボル（「０」）の組み合わせによって構成され、前記制御信号は、前記所定規則に基づく、前記一、又は他のシンボルの組み合わせによって構成される。
【００４４】
この態様によれば、より効率的に多くすることが可能となる。
【００４５】
（レーザ出力制御方法の実施形態）
本発明のレーザ出力制御方法に係る実施形態は、情報記録媒体に記録する記録情報に基づいて、光源（レーザダイオード）を駆動する駆動手段（レーザドライバ）を備えたレーザ出力制御装置におけるレーザ出力制御方法であって、前記記録情報が所定変調方式（ＮＲＺＩ：Non Return to Zero Inverted）に基づいて変調された記録信号に、前記駆動手段を制御する制御信号を重畳した重畳信号を入力させる入力工程と、前記入力された重畳信号から、前記制御信号（制御コマンド）を検出する検出工程（コマンド検出工程）と、前記検出された制御信号に基づいて、前記駆動手段を制御する制御工程とを備える。
【００４６】
本発明のレーザ出力制御方法に係る実施形態によれば、上述した本発明のレーザ出力制御装置に係る実施形態と同様の各種利益を享受することができる。
【００４７】
尚、上述した本発明のレーザ出力制御装置に係る実施形態における各種態様に対応して、本発明に係るレーザ出力制御方法の実施形態も各種態様を採ることが可能である。
【００４８】
（コンピュータプログラムの実施形態）
本発明に係るコンピュータプログラムの実施形態は、コンピュータを上述したレーザ出力制御装置の実施形態（但し、その各種形態も含む）に備えられたコンピュータを制御するレーザ出力制御用のコンピュータプログラムであって、該コンピュータを、前記入力手段、前記検出手段、及び前記制御手段のうち少なくとも一部として機能させる。
【００４９】
本発明に係るコンピュータプログラムの実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明のレーザ出力制御装置に係る実施形態を比較的簡単に実現できる。
【００５０】
尚、上述した本発明のレーザ出力制御装置に係る実施形態における各種態様に対応して、本発明のコンピュータプログラムに係る実施形態も各種態様を採ることが可能である。
【００５１】
以上説明したように、本発明のレーザ出力制御装置及び方法に係る実施形態によれば、入力手段及び工程、検出手段及び工程、並びに、制御手段及び工程を備えている。従って、本発明のレーザ出力制御装置における構成を簡略化、即ち、当該集積回路の小型化を実現することが可能となる。と共に、本発明のレーザ出力制御装置において、高速処理を実現することが可能となる。
【００５２】
また、本発明のコンピュータプログラムに係る実施形態によれば、コンピュータを上述した本発明のレーザ出力制御装置に係る実施形態として機能させる。従って、レーザ出力制御装置をして、高速処理を実現せしめることが可能となる。
【実施例】
【００５３】
以下、本発明の実施例を図面に基づいて説明する。
【００５４】
（１）レーザ出力制御装置の第１実施例
次に、図１から図３を参照して、本発明のレーザ出力制御装置に係る第１実施例の基本構成及び動作原理について説明する。ここに、図１は、本発明のレーザ出力制御装置の第１実施例に係る基本構成を示したブロック図である。
【００５５】
（１−１）基本構成
図１に示されるように、本発明のレーザ出力制御装置１００に係る第１実施例は、各種手段を統括制御するＣＰＵ（Central Processing Unit）１０、例えば半導体レーザ等の光源１１、特定の処理を制御するＤＳＰ（Digital Signal Processor）１０１、制御信号を重畳することが可能な重畳部１０２、ＮＲＺＩピン１０３、制御コマンド用パターン検出部１０４、ＯＰＣ処理を起動させるＯＰＣ起動部１０５、ステップ毎に記録パワーの変更量を設定するパワー変更量設定部１０６、記録パワーの値を設定するパワー設定部１０７、光源１０を駆動させるレーザドライバ１０８、ストラテジ用パターン検出部１０９、記録波形データ（ストラテジ）を保持する駆動パルスを生成するストラテジ生成部１１０、ＣＬＫピン１１１、記録信号を基準クロックに同期させるための回路であるＰＬＬ（Phase Locked Loop）１１２、高周波信号を重畳する高周波重畳部１１３、ＡＰＣピン１１４、例えばトラッキングサーボやフォーカスサーボを行うためのサーボドライバ１１５、及び加算器１１６を備えて構成されている。
【００５６】
尚、点線で囲まれた四角によって、ライトストラテジー内蔵型集積回路１が構成されている。また、ストラテジ生成部１１０は、記録波形データ（ストラテジ）をＤ／Ａ変換して駆動パルス信号を生成するようにしてもよい。ここに、本願発明に係る「ストラテジ（ライトストラテジ）」とは、記録信号に基づいて光源を駆動する際の駆動パルス波形の形態を示す。ストラテジとしては、例えば、１つのトップパルスと複数のマルチパルスにより構成されるマルチパルスタイプのもの、或いは、１つのトップパルスとその後にトップパルスより低いレベルの期間を有するもの、及び１つのトップパルスと１つのラストパルスとその間の中間レベル期間とを有するものなどの、ノンマルチパルスタイプのものなどがある。本発明では、どのタイプのストラテジを使用することも可能である。
【００５７】
ＣＰＵ１０は、本発明に係る「制御手段」の一具体例を構成している。ＤＳＰ１０１は、本発明に係る「生成手段」の一具体例を構成している。重畳部１０２は、本発明に係る「重畳手段」の一具体例を構成している。制御コマンド用パターン検出部１０４は、本発明に係る「検出手段」の一具体例を構成している。ＯＰＣ起動部１０５、又はパワー変更量設定部１０６は、本発明に係る「切替手段」の一具体例を構成している。ストラテジ生成部１１０は、本発明に係る「駆動パルス生成手段」の一具体例を構成している。レーザドライバ１０８は、本発明に係る「駆動手段」の一具体例を構成している。
【００５８】
（１−２）動作原理
次に、図２及び図３に加えて前述した図１を適宜参照して、本発明のレーザ出力制御装置１００に係る第１実施例の動作原理について説明する。ここに、図２は、本発明のレーザ出力制御装置に係る第１実施例に係る動作原理を示したフローチャートである。
【００５９】
特に、第１実施例においては、本発明に係る制御信号の一具体例である「１２Ｔ」のスペース信号が重畳及び検出されることによって、ＯＰＣ処理において、記録パワーの値を切替えることが可能である。
【００６０】
より詳細には、制御信号の一具体例である「１２Ｔ」のスペース信号が適用された理由は、以下の通りである。即ち、Blu-ray規格に基づく光ディスクにおいては、「２−３変調」方式に基づいて、記録情報の記録又は再生が行われている。そして、スペース信号、又はマーク信号が連続する長さ、即ち、ランレングスの許容範囲を示したＲＬＬ（Run Length Limited Code）は、「２Ｔ」から「８Ｔ」である。記録信号に対する誤り訂正、又は復調を行うためのデータ量の単位であるデ−タブロックの区切りを示す同期信号として「９Ｔ−９Ｔ」（Ｓｙｎｃパターン）が用いられる。上述した記録情報の変調パターン及び同期信号パターン以外のパターンである、例えば「１０Ｔ」より長い記録信号は存在しない。従って、例えば「１０Ｔ」より長い信号である「１２Ｔ」のスペース信号を適用した訳である。尚、ＣＤ（Compact Disc）におけるＥＦＭ変調や、ＤＶＤにおける「８−１６変調」においても同様にして、制御信号の具体例を導き出すことが可能である。
【００６１】
また、後述される第３実施例で示されるように、同期信号の一部と、許容範囲内の記録信号とによって、制御信号を構成するようにしてもよい。具体的には、Blu-ray規格に基づく光ディスクにおいては、「９Ｔ」と「９Ｔ」とによって同期信号が構成されているが、「９Ｔ」のみの記録信号はない。従って、制御信号は、「９Ｔ」と、「２Ｔ」等とによって構成されていてもよい。
【００６２】
或いは、前述したランレングスに加えて、マーク、又はスペースの組み合わせを考慮するようにしてもよい。例えば「９Ｔ」と「２Ｔ」とによって構成されている制御信号においては、（ｉ）「９Ｔ」のマーク信号と「２Ｔ」のスペース信号とが連続するパターンと、（ｉｉ）「９Ｔ」のスペース信号と「２Ｔ」のマーク信号とが連続するパターンとの２つの種類があるようにしてもよい。
【００６３】
更に、或いは、ＤＶＤ規格に基づく光ディスクにおいては、「１４Ｔ」と「４Ｔ」とによって同期信号が構成されているが、「１４Ｔ」のみの記録信号はない。従って、制御信号は、「１４Ｔ」と、「１０Ｔ」等とによって構成されていてもよい。
【００６４】
更に、或いは、ＣＤ規格に基づく光ディスクにおいては、「１１Ｔ」と「１１Ｔ」とによって同期信号が構成されている。また、「１１Ｔ」のみの記録信号も存在する。このように、２回連続される「１１Ｔ」及び「１１Ｔ」は、同期信号であり、「１１Ｔ」のみの記録信号も存在するが、３回連続される「１１Ｔ」、「１１Ｔ」、及び「１１Ｔ」によって構成される信号は存在しない。従って、制御信号は、「１１Ｔ」が３回以上連続される信号等によって構成されていてもよい。
【００６５】
以下、第１実施例の動作原理について説明する。
【００６６】
図２に示されるように、ＣＰＵ１０の制御下で、先ず、記録動作が開始されるか否かが判定される（ステップＳ１０１）。ここで、記録動作が開始される場合（ステップＳ１０１：Ｙｅｓ）、更に、ＣＰＵ１０の制御下で、ＯＰＣ処理を行う設定であるか否かが判定される（ステップＳ１０２）。更に、ここで、ＯＰＣ処理を行う設定である場合（ステップＳ１０２：Ｙｅｓ）、ＯＰＣ処理が実行される（ステップＳ１０３）。具体的には、例えば初期設定された最小又は最大の記録パワーによって、ＯＰＣ処理が行われる。
【００６７】
次に、ＣＰＵ１０の制御下で、本発明に係る制御信号の一具体例である「１２Ｔ」のスペース信号が、制御コマンド用パターン検出部１０４によって検出されるか否かが判定される（ステップＳ１０４）。ここで、「１２Ｔ」のスペース信号が、制御コマンド用パターン検出部１０４によって検出された場合（ステップＳ１０４：Ｙｅｓ）、パワー変更量設定部１０６によって、ＯＰＣ処理のステップ毎に記録パワーの変更量、即ち、所定ステップ量が設定されると共に、パワー設定部１０７によって、所定ステップ量だけ記録パワーの値が変更されて設定される（ステップＳ１０５）。
【００６８】
次に、ＣＰＵ１０の制御下で、ＯＰＣ処理を終了するか否かが判定される（ステップＳ１０６）。ここで、ＯＰＣ処理を終了しない場合（ステップＳ１０６：Ｎｏ）、再度、ＯＰＣ処理が実行される（ステップＳ１０３）。
【００６９】
加えて、前述したステップＳ１０４の判定の結果、「１２Ｔ」のスペース信号が、制御コマンド用パターン検出部１０４によって検出されない場合についても（ステップＳ１０４：Ｎｏ）、再度、ＯＰＣ処理が実行される（ステップＳ１０３）。
【００７０】
他方、ステップＳ１０６の判定の結果、ＯＰＣ処理を終了する場合（ステップＳ１０６：Ｙｅｓ）、若しくは、ステップＳ１０１の判定の結果、記録動作が開始されない場合（ステップＳ１０１：Ｎｏ）、又は、ステップＳ１０２の判定の結果、ＯＰＣ処理を行う設定でない場合（ステップＳ１０２：Ｎｏ）、再び、ＣＰＵ１０の制御下で、記録動作が開始されるか否かが判定される（ステップＳ１０１）。
【００７１】
ここで、図３に加えて前述した図１を適宜参照して、本発明に係る制御信号の一具体例であるＯＰＣ処理における記録パワーの切替えを行う「１２Ｔ」のスペース信号について詳細に説明する。ここに、図３は、本発明に係る制御信号の一具体例であるＯＰＣ処理における記録パワーの切替えを行うための「１２Ｔ」のスペース信号を中心として模式的に示したタイミングチャートである。
【００７２】
図３の第１段部に示されるように、再生処理（Ｒｅａｄ）から、記録処理（Ｗｒｉｔｅ）へ移行され、少なくとも当該記録処理において、ＯＰＣ処理が行われる。より具体的には、図３の第２段部に示されるように、ＯＰＣ処理が、例えば１６ステップで構成される場合、記録パワーの値を切替える指令（コマンド）が１６回、ＣＰＵ１０から重畳部１０２へと送信される。
【００７３】
この重畳部１０２においては、例えば「１２Ｔ」のスペース信号が、記録情報を保持する記録信号に重畳される。そして、「１２Ｔ」のスペース信号が、ＮＲＺＩピン１０３を介してライトストラテジー内蔵型集積回路１へ入力され、制御コマンド用パターン検出部１０４によって検出される。
【００７４】
より具体的には、図３の拡大部に示されるように、ＮＲＺＩ方式に基づいて変調された記録信号である、「２Ｔ」マーク信号、「３Ｔ」スペース信号、「２Ｔ」マーク信号に続いて、記録パワーの値を切替える指令（コマンド）に相当する「１２Ｔ」のスペース信号が重畳される。そして、「１２Ｔ」のスペース信号が、制御コマンド用パターン検出部１０４によって検出されることで、記録パワーの値を切替える指令（コマンド）の受信と等価とさせることができる。
【００７５】
以上のようにして、「１２Ｔ」のスペース信号が、制御コマンド用パターン検出部１０４によって検出される毎に、図３の第３段に示されるように、パワー変更量設定部１０６は、ＯＰＣ処理のステップ毎に記録パワーの変更量を設定する。同様にして、図３の第４段に示されるように、パワー設定部１０７は、１６段階の記録パワーの値を設定する。
【００７６】
（２）本発明のレーザ出力制御装置に係る作用効果の検討
次に、図４、及び図５を参照して、本発明のレーザ出力制御装置において、記録信号に、制御信号が重畳及び検出されることの作用効果について検討を加える。ここに、図４は、比較例に係るレーザ出力制御装置の基本構成を示したブロック図である。図５は、比較例に係るＷＲゲートピンによって、レーザ光の出力パワーを、再生処理のための再生パワーから、記録処理のための記録パワーへの切替えが行われた様子を模式的に示したタイミングチャートである。
【００７７】
比較例に係るライトストラテジー内蔵型集積回路２においては、ＯＰＣ処理を行う機能を追加させるためには、信号線の数を増やさなければならない。具体的には、ＯＰＣ処理において、記録パワーの値を変更するために、ＯＰＣ専用の信号線をライトストラテジー内蔵型集積回路２に構成する必要がある。このＯＰＣ専用の信号線を簡便に構成するために、図４に示されるように、集積回路では構造上、外部と通信するＯＰＣ専用ピン２１が必要となる。このＯＰＣ専用ピン２１を設けることは、ピンの数を増加させ、集積回路の小型化を実現することが困難となってしまう。
【００７８】
また、レーザ光の出力パワーを、ＷＲゲートピン２２を介して、記録処理のための記録パワー、又は再生処理のための再生パワーへの切替えるタイミングについても同様に、図５に示されるように、ズレが生じてしまい両者を同期させることが困難となってしまう。
【００７９】
或いは、比較例においては、ＣＰＵ２０からライトストラテジー内蔵型集積回路２のＣＰＵ用コマンド検出器２３へ通信線を介して送信される指令（コマンド）に基づいて、記録パワーの値を設定している。尚、ＤＳＰ２４は、ＷＲゲートピン２２、ＯＰＣ専用ピン２１、ＮＲＺＩピン１０３、及びＣＬＫピン１１１と接続されている。
【００８０】
しかしながら、ＣＰＵ２０とライトストラテジー内蔵型集積回路２との間では、一般的に、例えばシリアル通信規格に基づいた通信が行われる。この結果、ＯＰＣ処理における記録パワーの変更を短時間で、即ち、高速に行うことが困難となってしまう。
【００８１】
これに対して、本発明のレーザ出力制御装置に係る第１実施例によれば、記録信号に、ＯＰＣ処理において、記録パワーの値を切替える指令（コマンド）に相当する、例えば「１２Ｔ」のスペース信号等の制御信号が重畳される。そして、この制御信号が、例えば制御コマンド用パターン検出部１０４等の検出手段によって検出されることで、記録パワーの値を切替える指令（コマンド）の受信と等価とさせることができる。従って、ＯＰＣ専用の信号線を構成する必要がなくなる。このため、集積回路で物理的な構造上、外部と通信する専用ピンを備える必要がなくなる。
【００８２】
この結果、本発明のレーザ出力制御装置を構成する集積回路における構成を簡略化、即ち、当該集積回路の小型化や低価格化を実現することが可能となる。また当該集積回路に接続するための配線数を削減することが可能となり、配線コネクタ等の小型化や低価格化を実現することも可能となる。
【００８３】
更に、第１実施例によれば、記録信号に、制御信号を重畳させるので、記録情報の書き込みのタイミングと、制御信号に基づく指令によって開始するタイミングとを殆ど又は完全に同期させることが可能である。従って、従来の同期に必要な待ち時間の設定が、本発明では必要なくなるため、各種処理の高速化を実現することも可能である。また、後述されるように、レーザ光の出力パワーを、記録処理のための記録パワー、又は再生処理のための再生パワーへの切替えるタイミングについても同様に殆ど又は完全に同期させることが可能である。加えて、ＯＰＣ処理に掛る時間を長時間に設定する必要がなくなり、短時間でＯＰＣ処理を行うことが可能となる。更に、高速なＯＰＣ処理を実現するために、ＯＰＣ専用の集積回路をレーザドライバとＣＰＵとの間に設ける必要がないため部品点数を少なくすることが可能となる。
【００８４】
この結果、本発明のレーザ出力制御装置を構成する集積回路において、高速処理を実現することが可能となる。
【００８５】
（３）レーザ出力制御装置の第２実施例
次に、図６から図８を参照して、本発明のレーザ出力制御装置に係る第２実施例の動作原理について説明する。尚、第２実施例に係る基本構成については、第１実施例と概ね同様であるので説明を省略する。ここに、図６は、本発明のレーザ出力制御装置に係る第２実施例に係る動作原理を示したフローチャートである。図７は、本発明に係る制御信号の他の具体例であるマルチパルスをＯｆｆにするための「１０Ｔ」のスペース信号を模式的に示したタイミングチャートである。図８は、比較例に係るＯＰＣ専用ピンによって、マルチパルスがＯｆｆにされた様子を模式的に示したタイミングチャートである。
【００８６】
（３−１）動作原理
特に、第２実施例においては、本発明に係る制御信号の他の具体例である「１０Ｔ」のスペース信号が重畳及び検出されることによって、マルチパルスがＯｆｆにされた駆動パルスを生成することが可能である。このことによって、例えばＡＰＣ（Automatic Power Control）処理において、より迅速且つ適切に、マルチパルス形状の駆動パルス信号に切替えることが可能となる。ここに、「ＡＰＣ（Automatic Power Control）」とは、ＬＤから出射されるレーザ光の一部をフォトディテクタ（ＰＤ：Photo Detector）に入射させ、発光パワーに比例して発生するモニタ電流（監視電流）に基づいて、ＬＤ駆動電流の制御を行い、発光パワーの制御を行うという負帰還（ＮＦＢ：Negative Feed Back）制御手法の一種である。
【００８７】
図６に示されるように、ＣＰＵ１０の制御下で、先ず、記録動作の最中であるか否かが判定される（ステップＳ１０１ａ）。ここで、記録動作の最中である場合（ステップＳ１０１ａ：Ｙｅｓ）、更に、ＣＰＵ１０の制御下で、マルチパルスをＯｆｆにする設定であるか否かが判定される（ステップＳ２０１）。より詳細には、ＣＰＵ１０の制御下で、駆動パルス信号の形状が、ノンマルチパルス形状、及びマルチパルス形状のうち一方となるように特定される。ここで、マルチパルスをＯｆｆにする設定である場合（ステップＳ２０１：Ｙｅｓ）、更に、ＣＰＵ１０の制御下で、本発明に係る制御信号の他の具体例である「１０Ｔ」のスペース信号が、制御コマンド用パターン検出部１０４によって検出されるか否かが判定される（ステップＳ２０２）。ここで、「１０Ｔ」のスペース信号が、制御コマンド用パターン検出部１０４によって検出された場合（ステップＳ２０２：Ｙｅｓ）、ストラテジ生成部１１０によって、マルチパルスがＯｆｆにされた駆動パルスが生成される。そして、再び、ＣＰＵ１０の制御下で、記録動作の最中であるか否かが判定される（ステップＳ１０１ａ）。
【００８８】
ステップＳ２０２について、具体的には、前述した重畳部１０２においては、例えば「１０Ｔ」のスペース信号が、記録情報を保持する記録信号に重畳される。そして、「１０Ｔ」のスペース信号が、ＮＲＺＩピン１０３を介してライトストラテジー内蔵型集積回路１へ入力され、制御コマンド用パターン検出部１０４によって検出される。
【００８９】
より具体的には、図７に示されるように、ＮＲＺＩ方式に基づいて変調された記録信号である、「２Ｔ」マーク信号、「２Ｔ」スペース信号、「３Ｔ」マーク信号に続いて、マルチパルスをＯｆｆにする指令（コマンド）に相当する「１０Ｔ」のスペース信号が重畳される。そして、「１０Ｔ」のスペース信号が、制御コマンド用パターン検出部１０４によって検出されることで、マルチパルスをＯｆｆにする指令（コマンド）の受信と等価とさせることができる。
【００９０】
以上のようにして、「１０Ｔ」のスペース信号が、制御コマンド用パターン検出部１０４によって検出される毎に、ストラテジ生成部１１０は、例えばシングルパルス形状をした「８Ｔ」のマーク信号、又は「８Ｔ」のスペース信号等の、マルチパルスがＯｆｆにされたストラテジを保持する駆動パルスを生成する。
【００９１】
再び、図６に戻り、ステップＳ２０２の判定の結果、「１０Ｔ」のスペース信号が、制御コマンド用パターン検出部１０４によって検出されない場合（ステップＳ２０２：Ｎｏ）、更に、ＣＰＵ１０の制御下で、本発明に係る制御信号の他の具体例である「１１Ｔ」のスペース信号が、制御コマンド用パターン検出部１０４によって検出されるか否かが判定される（ステップＳ２０４）。ここで、「１１Ｔ」のスペース信号が、制御コマンド用パターン検出部１０４によって検出された場合（ステップＳ２０４：Ｙｅｓ）、ストラテジ生成部１１０によって、マルチパルスがＯｎにされた駆動パルスが生成される。
【００９２】
上述したように、第２実施例においては、例えばステップＳ２０２において、重畳部１０２により、例えば「１０Ｔ」のスペース信号が、記録情報を保持する記録信号に重畳される。そして、「１０Ｔ」のスペース信号が、ＮＲＺＩピン１０３を介してライトストラテジー内蔵型集積回路１へ入力され、制御コマンド用パターン検出部１０４によって検出される。従って、「１０Ｔ」のスペース信号が、制御コマンド用パターン検出部１０４によって検出されることで、マルチパルスをＯｆｆにする指令（コマンド）の受信と等価とさせることができる。
【００９３】
仮に、このマルチパルスを「Ｏｎ」又は「Ｏｆｆ」にするための専用ピンを介して、ＣＰＵからレーザドライバへ、マルチパルスの「Ｏｎ」と「Ｏｆｆ」を制御する指令（コマンド）が送信された場合、次のような技術的な問題点が生じてしまう。即ち、図８に示されるように、マルチパルスを理想的に「Ｏｆｆ」にしたいタイミングと、この専用ピンを介した指令によって、マルチパルスを実際に「Ｏｆｆ」にさせるタイミングとにズレが生じてしまい、両者を同期させることが困難となってしまう。
【００９４】
これに対して、第２実施例によれば、記録信号に、制御信号を重畳させるので、マルチパルスを理想的に「Ｏｆｆ」にしたいタイミングと、制御信号に基づく指令によってマルチパルスを実際に「Ｏｆｆ」にさせるタイミングとを殆ど又は完全に同期させることが可能である。
【００９５】
この結果、本発明のレーザ出力制御装置を構成する集積回路において、高速処理を実現することが可能となる。
【００９６】
（４）レーザ出力制御装置の第３実施例
次に、図９、及び図１０を参照して、本発明のレーザ出力制御装置に係る第３実施例の動作原理について説明する。尚、第３実施例に係る基本構成については、第１実施例と概ね同様であるので説明を省略する。ここに、図９は、本発明のレーザ出力制御装置に係る第３実施例に係る動作原理を示したフローチャートである。図１０は、本発明に係る制御信号の他の具体例であるレーザ光の出力パワーを、記録処理のための記録パワー、及び再生処理のための再生パワーのうち一方から他方への切替えを行うための「５Ｔ」のマーク信号と「１０Ｔ」のスペース信号とが連続するパターンを模式的に示したタイミングチャートである。尚、図９中、前述した図２における同様の処理には、同様のステップ番号を付し、それらの説明は適宜省略する。
【００９７】
（４−１）動作原理
特に、第３実施例においては、本発明に係る制御信号の他の具体例である「５Ｔ」のマーク信号と「１０Ｔ」のスペース信号とが連続するパターンが重畳及び検出されることによって、レーザ光の出力パワーを、記録パワー、及び再生パワーのうち一方から他方への切替えを行うことが可能である。
【００９８】
図９に示されるように、先ず、ＣＰＵ１０の制御下で、記録動作を許可するか否かが判定される（ステップＳ３０１）。ここで、記録動作を許可する場合（ステップＳ３０１：Ｙｅｓ）、ＣＰＵ１０の制御下で、本発明に係る制御信号の他の具体例である「５Ｔ」のマーク信号と「１０Ｔ」のスペース信号とが連続するパターンが、制御コマンド用パターン検出部１０４によって検出されるか否かが判定される（ステップＳ３０２）。ここで、「５Ｔ」のマーク信号と「１０Ｔ」のスペース信号とが連続するパターンが、制御コマンド用パターン検出部１０４によって検出された場合（ステップＳ３０２：Ｙｅｓ）、パワー設定部１０７によって、レーザ光の出力パワーが、記録処理のための記録パワーに設定され、記録動作が開始される（ステップＳ３０３）。そして、再び、ＣＰＵ１０の制御下で、「５Ｔ」のマーク信号と「１０Ｔ」のスペース信号とが連続するパターンが、制御コマンド用パターン検出部１０４によって検出されるか否かが判定される（ステップＳ３０２）。
【００９９】
ステップＳ３０２について、具体的には、前述した重畳部１０２においては、例えば「５Ｔ」のマーク信号と「１０Ｔ」のスペース信号とが連続するパターンが、変調された信号に重畳される。そして、「５Ｔ」のマーク信号と「１０Ｔ」のスペース信号とが連続するパターンが、ＮＲＺＩピン１０３を介してライトストラテジー内蔵型集積回路１へ入力され、制御コマンド用パターン検出部１０４によって検出される。
【０１００】
より具体的には、図１０に示されるように、ＮＲＺＩ方式に基づいて変調された信号に続いて、レーザ光の出力パワーを変更する指令（コマンド）に相当する「５Ｔ」のマーク信号と「１０Ｔ」のスペース信号とが連続するパターンが重畳される。そして、「５Ｔ」のマーク信号と「１０Ｔ」のスペース信号とが連続するパターンが、制御コマンド用パターン検出部１０４によって検出されることで、レーザ光の出力パワーを変更する指令（コマンド）の受信と等価とさせることができる。
【０１０１】
以上のようにして、「５Ｔ」のマーク信号と「１０Ｔ」のスペース信号とが連続するパターンが、制御コマンド用パターン検出部１０４によって検出される毎に、パワー設定部１０７によって、レーザ光の出力パワーが、記録処理のための記録パワーに設定され、記録動作が開始される。
【０１０２】
再び、図９に戻り、
他方、ステップＳ３０２の判定の結果、「５Ｔ」のマーク信号と「１０Ｔ」のスペース信号とが連続するパターンが、制御コマンド用パターン検出部１０４によって検出されない場合（ステップＳ３０２：Ｎｏ）、更に、ＣＰＵ１０の制御下で、本発明に係る制御信号の他の具体例である「８Ｔ」のマーク信号と「１０Ｔ」のスペース信号とが連続するパターンが、制御コマンド用パターン検出部１０４によって検出されるか否かが判定される（ステップＳ３０４）。ここで、「８Ｔ」のマーク信号と「１０Ｔ」のスペース信号とが連続するパターンが、制御コマンド用パターン検出部１０４によって検出された場合（ステップＳ３０４：Ｙｅｓ）、記録動作が停止され、パワー設定部１０７によって、レーザ光の出力パワーが、再生処理のための再生パワーに設定され、再生動作が開始される。そして、再び、ＣＰＵ１０の制御下で、「５Ｔ」のマーク信号と「１０Ｔ」のスペース信号とが連続するパターンが、制御コマンド用パターン検出部１０４によって検出されるか否かが判定される（ステップＳ３０２）。
【０１０３】
以上のようにして、「８Ｔ」のマーク信号と「１０Ｔ」のスペース信号とが連続するパターンが、制御コマンド用パターン検出部１０４によって検出される毎に、記録動作が停止され、パワー設定部１０７によって、レーザ光の出力パワーが、再生処理のための再生パワーに設定され、再生動作が開始される。
【０１０４】
（５）レーザ出力制御装置の第４実施例
次に、図１１、及び図１２を参照して、本発明のレーザ出力制御装置に係る第４実施例の動作原理について説明する。ここに、図１１は、本発明のレーザ出力制御装置に係る第４実施例に係る基本構成を示したブロック図である。図１２は、本発明のレーザ出力制御装置に係る第４実施例に係る動作原理を示したフローチャートである。尚、図１２中、前述した図９における同様の処理には、同様のステップ番号を付し、それらの説明は適宜省略する。
【０１０５】
（５−１）基本構成
特に、第４実施例においては、本発明に係る制御信号の他の具体例である「５Ｔ」のマーク信号と「１０Ｔ」のスペース信号とが連続するパターンが重畳及び検出されることによって、ＯＰＣ処理を行う設定、及びＯＰＣ処理を行わない設定のうち一方から他方への切替えを行うことが可能である。
【０１０６】
図１１中の太線矢印において示されるように、「５Ｔ」のマーク信号と「１０Ｔ」のスペース信号とが連続するパターンが、制御コマンド用パターン検出部１０４によって検出される毎に、ＯＰＣ起動部１０５は、ＯＰＣ処理を行う設定、及びＯＰＣ処理を行わない設定のうち一方から他方への切替えを行うことが可能である。
【０１０７】
（５−２）動作原理
図１２に示されるように、ステップＳ３０２の判定の結果、「５Ｔ」のマーク信号と「１０Ｔ」のスペース信号とが連続するパターンが、制御コマンド用パターン検出部１０４によって検出された場合（ステップＳ３０２：Ｙｅｓ）、ＯＰＣ起動部１０５によって、ＯＰＣ処理を行う設定に切替えられる（ステップＳ４０１）。
【０１０８】
また、ステップＳ３０４の判定の結果、「８Ｔ」のマーク信号と「１０Ｔ」のスペース信号とが連続するパターンが、制御コマンド用パターン検出部１０４によって検出された場合（ステップＳ３０４：Ｙｅｓ）、ＯＰＣ起動部１０５によって、ＯＰＣ処理を行わない設定に切替えられる（ステップＳ４０２）。
【０１０９】
本実施例においては、本発明に係る「所定変調方式」の一具体例として、ＮＲＺＩ（Non Return to Zero Inverted）に基づいた変調方式について説明しているが、例えばＮＲＺ（Non Return to Zero）等の他の変調方式に適用可能であることは言うまでもない。
【０１１０】
本発明は、上述した実施例に限られるものではなく、請求の範囲及び明細書全体から読み取れる発明の要旨或いは思想に反しない範囲で適宜変更可能であり、そのような変更を伴うレーザ出力制御装置及び方法、並びに、レーザ出力制御用のコンピュータプログラムもまた本発明の技術的範囲に含まれるものである。
【図面の簡単な説明】
【０１１１】
【図１】本発明のレーザ出力制御装置の第１実施例に係る基本構成を示したブロック図である。
【図２】本発明のレーザ出力制御装置に係る第１実施例に係る動作原理を示したフローチャートである。
【図３】本発明に係る制御信号の一具体例であるＯＰＣ処理における記録パワーの切替えを行うための「１２Ｔ」のスペース信号を中心として模式的に示したタイミングチャートである。
【図４】比較例に係るレーザ出力制御装置の基本構成を示したブロック図である。
【図５】比較例に係るＷＲゲートピンによって、レーザ光の出力パワーを、再生処理のための再生パワーから、記録処理のための記録パワーへの切替えが行われた様子を模式的に示したタイミングチャートである。
【図６】本発明のレーザ出力制御装置に係る第２実施例に係る動作原理を示したフローチャートである。
【図７】本発明に係る制御信号の他の具体例であるマルチパルスをＯｆｆにするための「１０Ｔ」のスペース信号を模式的に示したタイミングチャートである。
【図８】比較例に係る専用ピンによって、マルチパルスがＯｆｆにされた様子を模式的に示したタイミングチャートである。
【図９】本発明のレーザ出力制御装置に係る第３実施例に係る動作原理を示したフローチャートである。
【図１０】本発明に係る制御信号の他の具体例であるレーザ光の出力パワーを、記録処理のための記録パワー、及び再生処理のための再生パワーのうち一方から他方への切替えを行うための「５Ｔ」のマーク信号と「１０Ｔ」のスペース信号とが連続するパターンを模式的に示したタイミングチャートである。
【図１１】本発明のレーザ出力制御装置に係る第４実施例に係る基本構成を示したブロック図である。
【図１２】本発明のレーザ出力制御装置に係る第４実施例に係る動作原理を示したフローチャートである。
【符号の説明】
【０１１２】
１      ライトストラテジー内蔵型集積回路
１０    ＣＰＵ
１１    光源
１００  レーザ出力制御装置
１０１  ＤＳＰ
１０２  重畳部
１０３  ＮＲＺＩピン
１０４  制御コマンド用パターン検出部
１０５  ＯＰＣ起動部
１０６  パワー変更量設定部
１０７  パワー設定部
１０８  レーザドライバ
１０９  ストラテジ用パターン検出部
１１０  ストラテジ生成部
１１１  ＣＬＫピン
１１２  ＰＬＬ
１１３  高周波重畳部
１１４  ＡＰＣピン
１１５  サーボドライバ
１１６  加算器
【図１】
2006228345.tif 000003
【図２】
2006228345.tif 000004
【図３】
2006228345.tif 000005
【図４】
2006228345.tif 000006
【図５】
2006228345.tif 000007
【図６】
2006228345.tif 000008
【図７】
2006228345.tif 000009
【図８】
2006228345.tif 000010
【図９】
2006228345.tif 000011
【図１０】
2006228345.tif 000012
【図１１】
2006228345.tif 000013
【図１２】
2006228345.tif 000014